(57)【要約】【課題】内蔵媒体記録装置と可搬媒体記録装置を有するレコーダにおいて同時記録を効率的に行う。【解決手段】オーディオデータレコーダは、光ディスクドライブ部１４とＨＤＤ部１６を備える。いずれかの媒体にオーディオデータを記録するモードに加え、両媒体にオーディオデータを同時に記録するモードを有する。データを記録するＨＤとＤＶＤのディレクトリのペアを関連情報としてＨＤ上に記憶しておき、２回目以降の同時記録の場合には関連情報を参照することで同時記録すべきディレクトリの特定を自動化して選択操作を不要とする。【選択図】図１
2008305472.tif 000002
【特許請求の範囲】
【請求項１】
内蔵媒体記録装置と可搬媒体記録装置とを有するデータレコーダであって、
内蔵媒体及び可搬媒体にそれぞれ独立にデータを記録する個別記録モードと、前記内蔵媒体と前記可搬媒体に同一データを同時に記録する同時記録モードとを有し、選択指令に応じていずれかのモードでデータを記録する制御手段と、
前記内蔵媒体の領域と前記可搬媒体の領域のうちデータを同時記録すべき領域同士を関連付けた関連情報を記憶する記憶手段と、
を有し、前記制御手段は、前記同時記録モードが指令された場合に前記記憶手段に記憶された前記関連情報を用いて同時記録すべき領域を特定して記録することを特徴とするデータレコーダ。
【請求項２】
請求項１記載のデータレコーダにおいて、
前記領域はディレクトリであることを特徴とするデータレコーダ。
【請求項３】
請求項２記載の装置において、
前記記憶手段は、前記内蔵媒体と前記可搬媒体に対する最初の同時記録モードの際に選択された前記内蔵媒体のディレクトリと前記可搬媒体のディレクトリを関連付ける情報を前記関連情報として記憶し、
前記制御手段は、前記内蔵媒体と前記可搬媒体に対する２回目以降の同時記録モードの際に前記関連情報を用いて同時記録すべきディレクトリを特定して記録することを特徴とするデータレコーダ。
【請求項４】
請求項３記載の装置において、
前記制御手段は、前記内蔵媒体と前記可搬媒体に対する２回目以降の同時記録モードの際に、前記内蔵媒体と可搬媒体のいずれか一方のディレクトリが選択されたときに前記関連情報を用いて同時記録すべき他方の媒体のディレクトリを自動的に特定することで前記他方の媒体のディレクトリの選択を不要とし、前記個別記録モードにおける操作と同一とすることを特徴とするデータレコーダ。
【請求項５】
請求項１〜４のいずれかに記載の装置において、
前記関連情報は、前記可搬媒体の排出により削除されることを特徴とするデータレコーダ。
【請求項６】
請求項１〜４のいずれかに記載の装置において、
前記関連情報は、前記内蔵媒体に記録されることを特徴とするデータレコーダ。
【請求項７】
請求項１〜６のいずれかに記載の装置において、
前記内蔵媒体はハードディスクであり、前記可搬媒体は光ディスクであることを特徴とするデータレコーダ。
【発明の詳細な説明】
【技術分野】
【０００１】
本発明はデータレコーダに関し、特にハードディスクドライブ（ＨＤＤ）等の内蔵媒体記録装置と、光ディスクドライブ等の可搬媒体記録装置を搭載するデータレコーダにおける同時記録に関する。
【背景技術】
【０００２】
ハードディスクドライブ（ＨＤＤ）とＤＶＤドライブとを備えたＤＶＤレコーダが公知であり、テレビ番組等をハードディスク（ＨＤ）に録画する、あるいはＤＶＤに録画する、あるいはＨＤに録画した後にＤＶＤにコピーする等が可能となっている。しかしながら、このようなＤＶＤレコーダは、基本的にＨＤとＤＶＤのいずれか一方にデータを記録するものであり、ＨＤとＤＶＤに両方同時にデータを記録するものではない。なお、複数のチューナを搭載し、ＨＤとＤＶＤに異なるデータを同時に記録することも提案されているが、同一データをＨＤとＤＶＤに同時に記録するものではない。
【０００３】
一方、ファイルサーバ等においては、信頼性向上のために、複数のＨＤに同一のデータを記録する技術が周知であるが、これは一方のＨＤへ記録した後に他方のＨＤにバックアップとして記録するものであり、同一データが複数の記録媒体に同時記録されるのではない。
【０００４】
【特許文献１】特開２００７−１１０５５９号公報
【発明の開示】
【発明が解決しようとする課題】
【０００５】
ＨＤの固定媒体とＤＶＤ等の可搬媒体への同一データの同時記録が可能であれば、信頼性及び利便性の向上を図ることができる。すなわち、ＨＤもＤＶＤも記録面上の傷や劣化等により記録に失敗する確率がゼロではないが、同時記録により失敗の可能性を０％に限りなく近づけることができる。また、ＨＤＤにはリムーバブルＨＤＤも存在するものの多くは内蔵型（あるいは固定型）であり、他人に記録データを配布するためにはＤＶＤ等の安価でリムーバブルな媒体にコピーする必要もある。この場合、予めＨＤとＤＶＤに同時に記録しておくことで記録終了後のコピー作業を省くことができる。あるいは、他人に記録データを配布することを主目的とする場合でも、単にＤＶＤにデータを記録するだけでは失敗のおそれがあるため、ＨＤに同時に記録しておくことが望ましい場合もある。
【０００６】
このように同時記録には利点がある一方、ＨＤ、ＤＶＤへ同時記録するためには、ＨＤ、ＤＶＤそれぞれに記録する場所であるディレクトリを指定する必要がある。同時記録モードに設定する前に、あるいは同時記録モードに設定した後に、ＨＤ、ＤＶＤのそれぞれにおいてデータを記録すべきディレクトリをその都度設定するのは煩雑であるとともに、ディレクトリ設定のミスも生じ得る。
【０００７】
もちろん、ＨＤとＤＶＤに常に同一数及び同一名称のディレクトリを作成し、対応するディレクトリを自動的に特定して同時記録することも考えられるが、ユーザによってはＨＤあるいはＤＶＤのディレクトリに任意の名前を付けたいと欲する場合があり、また、あるデータは同時記録するものの、別のデータは重要性が比較的低くかつ他人に配布する予定もないためＨＤのみに記録しＤＶＤには記録しない等によりＨＤとＤＶＤでディレクトリ数が異なる場合も生じ得る。さらに、他人から配布されたＤＶＤにデータを記録する場合もあり、この場合には当初のＤＶＤに存在するディレクトリ数は任意に変化し得る。したがって、ＨＤとともにＤＶＤ等の可搬媒体にデータを同時記録する場合、ディレクトリの対応関係が不明である場合が少なくない。
【０００８】
本発明の目的は、ＨＤ等の内蔵媒体（あるいは固定媒体）とＤＶＤ等の可搬媒体に同一データを効率的に同時記録することができる装置を提供することにある。
【課題を解決するための手段】
【０００９】
本発明は、内蔵媒体記録装置と可搬媒体記録装置とを有するデータレコーダであって、内蔵媒体及び可搬媒体にそれぞれ独立にデータを記録する個別記録モードと、前記内蔵媒体と前記可搬媒体に同一データを同時に記録する同時記録モードとを有し、選択指令に応じていずれかのモードでデータを記録する制御手段と、前記内蔵媒体の領域（例えばディレクトリ）と前記可搬媒体の領域（例えばディレクトリ）のうちデータを同時記録すべき領域同士を関連付けた関連情報を記憶する記憶手段とを有し、前記制御手段は、前記同時記録モードが指令された場合に前記記憶手段に記憶された前記関連情報を用いて同時記録すべき領域を特定して記録することを特徴とする。
【００１０】
本発明の１つの実施形態では、前記記憶手段は、前記内蔵媒体と前記可搬媒体に対する最初の同時記録モードの際に選択された前記内蔵媒体のディレクトリと前記可搬媒体のディレクトリを関連付ける情報を前記関連情報として記憶し、前記制御手段は、前記内蔵媒体と前記可搬媒体に対する２回目以降の同時記録モードの際に前記関連情報を用いて同時記録すべきディレクトリを特定して記録する。
【発明の効果】
【００１１】
本発明によれば、内蔵媒体と可搬媒体に同一データを効率的に同時記録することができる。
【発明を実施するための最良の形態】
【００１２】
以下、図面に基づき本発明の実施形態について説明する。
【００１３】
図１に、本実施形態におけるデータレコーダの全体構成を示す。オーディオデータを記録するオーディオデータレコーダである。
【００１４】
図１において、Ａ／Ｄ変換器１０は、記録の対象であるアナログオーディオ信号がアナログ入力端子から入力され、入力されたアナログオーディオ信号を所定のサンプリング周波数及びビット数でデジタルオーディオ信号に変換して信号処理部１２に出力する。また、アナログオーディオ信号の他に、デジタルオーディオ信号もデジタル入力端子から入力され得る。デジタルオーディオ信号はＡ／Ｄ変換器１２を経ることなく信号処理部１２に供給される。
【００１５】
光ディスクドライブ部１４は、可搬媒体記録装置であり、いわゆるＤＶＤレコーダである。光ディスクドライブ部１４は、信号処理部１２に接続されて信号処理部１２から出力されたオーディオ信号をＤＶＤに記録する。また、ＤＶＤに記録されたオーディオデータを再生して信号処理部１２に出力する。
【００１６】
ＨＤＤ部１６は、内蔵媒体記録装置であり、信号処理部１２に接続されて信号処理部１２から出力されたオーディオ信号をＨＤに記録する。また、ＨＤに記録されたオーディオデータを再生して信号処理部１２に出力する。
【００１７】
Ｄ／Ａ変換器１８は、信号処理部１２から出力されたデジタルオーディオ信号をアナログオーディオ信号に変換して外部に設けられたアンプ等の機器に出力する。
【００１８】
信号処理部１２は、ＤＳＰ（デジタルシグナルプロセッサ）等で構成され、Ａ／Ｄ変換器１０から出力されたデジタル音声信号、あるいはデジタル入力端子から直接出力されたデジタル音声信号に対してフィルタリング等のデジタル信号処理を施し、ＢＷＦ（Broadcast Wave Format）形式のファイルとしてデジタルオーディオ信号を光ディスクドライブ部１４及びＨＤＤ部１６に出力する。また、信号処理部１２は、光ディスクドライブ部１４あるいはＨＤＤ部１６から出力されたデジタルオーディオ信号をＤ／Ａ変換器１８に出力する。また、信号処理部１２は、マイコン部２２からの指令に応じて、光ディスクドライブ部１４から出力されたデジタルオーディオ信号をＨＤＤ部１６に転送し、あるいは、ＨＤＤ部１６から出力されたデジタルオーディオ信号を光ディスクドライブ部１４に転送する。前者は、光ディスクドライブ部１４からＨＤＤ１６にコピーする場合の処理であり、後者はＨＤＤ部１６から光ディスクドライブ部１４にコピーする場合の処理である。
【００１９】
操作部２４は、装置本体の前面パネルに設けられた録音ボタン、再生ボタン、停止ボタン等の各種ボタンあるいはスイッチを有し、ユーザはこれらのボタンあるいはスイッチを操作して指示を入力する。操作部２４は、ユーザによる指示に応じたコマンドをマイコン部２２に出力する。マイコン部２２は、コマンドに応じた指令を信号処理部１２に出力して信号処理部１２の動作、すなわち光ディスクドライブ部１４の動作及びＨＤＤ部１６の動作を制御する。また、マイコン部２２は、操作部２４に対して内部情報を出力する。操作部２４は、内部情報を前面パネルに設けられたＬＥＤ及びＬＣＤ等により表示する。内部情報は、光ディスクドライブ部１４やＨＤＤ部１６の状態であり、例えばカレントドライブ（現在アクティブあるいはメインとなっているドライブ）の情報や各ドライブのディレクトリの状態等である。
【００２０】
マイコン部２２は、操作部２４からの操作信号に応じて信号処理部１２の動作を制御することで光ディスクドライブ１４及びＨＤＤ部１６でのデータの記録／再生を制御する。マイコン部２２にはＵＳＢインタフェース部２０が接続され、外部機器とのデータ入出力が可能な状態となっている。例えばパソコンを接続すると、ＨＤＤ部１６のＨＤはパソコンの外付けディスクとして認識され、ファイルを相互に転送することができる。
【００２１】
本実施形態のオーディオデータレコーダは、少なくとも２つの記録モードを有する。第１のモードは個別記録モードであり、デジタルオーディオデータをＨＤあるいはＤＶＤのいずれかに記録するモードである。ＨＤに記録する場合、信号処理部１２はデジタルオーディオ信号をＨＤＤ部１６のみに出力し、ＨＤＤ部１６はデジタルオーディオ信号をＨＤに記録する。ＤＶＤに記録する場合、信号処理部１２はデジタルオーディオ信号を光ディスクドライブ部１４のみに出力し、光ディスクドライブ部１４はデジタルオーディオ信号をＤＶＤに記録する。ＨＤあるいはＤＶＤのいずれに記録するかは、操作部２４からの操作信号に応じてマイコン部２２が決定して信号処理部１２に指令する。具体的には、まず、ユーザは記録あるいは再生の対象となるドライブを操作部２４の操作ボタンにより選択する。選択されたドライブがカレントドライブである。デフォルト状態ではＨＤＤ部１６をカレントドライブとしてもよい。ＨＤＤ部１６をカレントドライブとすると、次に、ユーザは操作部２４の録音ボタンを操作することで、楽曲はオーディオ信号として信号処理部１２に入力される。ユーザが操作部２４の停止ボタンを操作して録音を停止すると、ＨＤ上にＢＷＦ形式によるファイルが作成され、当該ファイルはプロジェクトにより管理される。プロジェクトとは、再生すべき楽曲の一覧をまとめた再生情報（プレイリスト）の集合であり、ディレクトリの一種であって同一の記録条件（サンプリング周波数、量子化ビット等）で記録されたもので構成される。ＨＤ上にはプロジェクトディレクトリなるディレクトリが作成され、この中にＢＷＦ形式のファイル、プレイリストファイル、マークリストファイル、プロジェクトファイル等が格納される。ある楽曲Ａを記録条件Ａで録音し、別の楽曲Ｂを別の記録条件で録音する場合、楽曲Ａと楽曲Ｂは異なるプロジェクトとして管理される。録音された楽曲を再生する場合、ユーザは操作部２４のＬＣＤから再生対象となるファイルを選択して再生ボタンを操作する。
【００２２】
ＤＶＤに楽曲を録音する場合も同様である。ユーザは、操作部２４を操作して光ディスクドライブ部１４をカレントドライブに選択する。次に、録音ボタンを操作することで、楽曲はＢＷＦ形式のファイルとしてＤＶＤのプロジェクトディレクトリに格納される。
【００２３】
第２のモードは同時記録モードである。この同時記録モードでは、同一楽曲をＨＤに記録すると同時にＤＶＤにも記録する。「同時記録」とは、ファイルサーバのバックアップ処理あるいはミラーリングのように、ある媒体への記録が終了した後に引き続き他の媒体に自動的に記録する処理ではなく、同時並行してリアルタイムに２つの媒体に同一データを記録することを意味する。ユーザは、操作部２４の同時録音ボタンを操作することでこの同時記録モードに移行することができる。同時録音ボタンの操作に引き続き録音ボタンを操作すると、同時記録が実行される。但し、ＨＤとＤＶＤに同時に記録されるもののカレントドライブは存在している。すなわち、同時記録前のカレントドライブがＨＤＤ部１６であるとすると、同時記録が終了した場合にも、ＨＤＤ部１６がカレントドライブとしてそのまま維持される。したがって、同時記録終了後に再生する場合、カレントドライブを変更しない限り、ＨＤ上のファイルが選択されることになる。
【００２４】
同時記録を行う場合、同一楽曲データがＢＷＦ形式としてＨＤ、ＤＶＤそれぞれのプロジェクトディレクトリ（単にプロジェクトと略称する）に格納されることになる。そこで、同時記録する際に同時に格納された２つのプロジェクトをペアプロジェクトとし、このペアプロジェクト間の対応関係をペアプロジェクト情報として内部に記憶しておくことで、再び同時記録する際の操作性が格段に向上する。すなわち、同時記録する場合、同一楽曲データを格納すべきプロジェクトをＨＤ、ＤＶＤそれぞれにおいて選択しなければならず、再び同時記録する場合にも同様の手順を繰り返さなければならないが、ペアプロジェクト情報を内部に記憶しておき、再び同時記録を行う際にはこのペアプロジェクト情報を参照して同一楽曲データを格納すべきプロジェクトを自動選択することで、ユーザは再度プロジェクトを選択する手間が省け、個別記録を行う場合と同様の簡易な操作で同時記録ができるようになる。例えば、カレントドライブがＨＤＤ部１６であり、ある楽曲データを同時記録する際に、ユーザがカレントドライブであるＨＤＤ部１６のあるプロジェクトを格納先として選択すると、マイコン部２２はＨＤ上にあるペアプロジェクト情報を参照して、選択されたＨＤ上のプロジェクトに対応する（ペアとなる）ＤＶＤ上のペアプロジェクトを特定し、信号処理部１２に指令する。ユーザは、ＨＤ上のプロジェクトを選択しただけであり、ＤＶＤ上のプロジェクトを選択する必要がない。
【００２５】
ペアプロジェクト情報は、例えばＨＤ上にファイルとして作成し、２つのプロジェクトを構成しているディレクトリ名を対応付けて記憶しておけばよい。
【００２６】
図２に、ＨＤ上のディレクトリ構造の一例を示す。ルートディレクトリの下にシステムディレクトリＳＹＳ、プロジェクト管理ディレクトリＰｒｏＭｎｇ、プロジェクトディレクトリ（プロジェクト）Ｐｒｏｊｅｃｔ０１、０２、０３、・・が存在する。プロジェクトのうち、Ｐｒｏｊｅｃｔ．ｐｒｊはこのプロジェクトの設定データ、ｐｌａｙ＿ｌｉｓｔ．ｌｓｔはこのプロジェクト内のプレイリスト情報、ｍａｒｋ＿ｌｉｓｔ．ｌｓｔはこのプロジェクト内のマークリストデータ、ＢＷＦ＿Ｆｉｌｅ０．ｗａｖ等はＢＷＦ形式のファイル本体である。ＤＶＤにも同様のディレクトリが作成され、ペアプロジェクト情報として、例えばＨＤのＰｒｏｊｅｃｔ１とＤＶＤのＰｒｏｊｅｃｔ０との対応関係
（ＨＤ，ＤＶＤ）＝（Ｐｒｏｊｅｃｔ１，Ｐｒｏｊｅｃｔ０）
がＨＤ上に記憶される。
【００２７】
図３〜図５に、本実施形態の処理フローチャートを示す。図３は、同時記録ボタンに続き録音ボタンを操作する場合の処理である。ユーザは、まず操作部２４の同時録音ボタンを操作する（Ｓ１０１）。この同時録音ボタンの操作に応じ、マイコン部２２は同時録音モードに移行する（Ｓ１０２）。次に、ユーザが録音ボタンを操作すると（Ｓ１０３）、同時録音処理を実行する。同時録音処理では、ＨＤとＤＶＤに楽曲データを記録するものであり、ＤＶＤがデータ記録が可能な状態になければならない。ＤＶＤにデータを記録する際には、記録パワーを最適化するＯＰＣ（Optimum Power Control）処理が必要であり、ＯＰＣ処理が既に行われて記録パワーが最適化されているか否かを判定する（Ｓ１０４）。記録パワーが最適化されていない場合、マイコン部２２は光ディスクドライブ部１４に指令してＯＰＣを実行させる（Ｓ１０５）。光ディスクドライブ部１４は、ＤＶＤの内周部に予め形成されているテストエリア（ＰＣＡ）に記録パワーを階段状に変化させてテストデータを試し書きする。そして、試し書きしたテストデータを再生してその再生信号品質、例えばβ値やγ値、変調度等を測定し、所望の品質が得られる記録パワーを選択する。
【００２８】
ＯＰＣが完了してＤＶＤに対しデータ記録可能な状態となった後、ペアプロジェクト情報が存在するか否かを判定する（Ｓ１０６）。第１回目の同時記録の場合にはペアプロジェクト情報は未だ作成されていないのでＮＯと判定され、この場合には以下の処理を行う。
【００２９】
すなわち、まず、ユーザはペアプロジェクトとなるべきプロジェクトをＨＤ、ＤＶＤから選択する。カレントドライブがＨＤＤ部１６である場合、まずＨＤ上のプロジェクトを選択し、次にＤＶＤ上のプロジェクトを選択する。ＨＤ，ＤＶＤそれぞれにおいて既存のプロジェクトの中から選択した場合、選択されたプロジェクトがペアプロジェクトとしてユーザに選択されたことを意味するから、マイコン部２２は選択された２つのプロジェクトをペアプロジェクトとし、これら２つのプロジェクトを関連付けるペアプロジェクト情報をＨＤ上にファイルとして記憶する（Ｓ１１２）。
【００３０】
一方、ユーザは既存のプロジェクトではなく新規のプロジェクトに楽曲データを録音したいと欲する場合もある。この場合、プロジェクトを新規に作成することになり（Ｓ１０８でＹＥＳ）、カレントドライブがＨＤＤ部１６である場合にはＤＶＤに新規プロジェクトを作成し（Ｓ１０９、Ｓ１１０）、カレントドライブがＨＤＤ部１６でない場合にはＨＤに新規プロジェクトを作成する（Ｓ１０９，Ｓ１１１）。そして、カレントドライブの選択されたプロジェクトと、非カレントドライブの新規作成プロジェクトがペアプロジェクトとなり、これら２つのプロジェクトを関連付けるペアプロジェクト情報がＨＤ上に記憶される（Ｓ１１２）。もちろん、カレントドライブの新規プロジェクトと非カレントドライブの新規プロジェクトをペアプロジェクトとすることも可能である。マイコン部２２は、ユーザにより選択されたプロジェクトを自動的にペアプロジェクトを構成するプロジェクトであるとみなしてペアプロジェクト情報を作成する。ペアプロジェクト情報を作成した後、マイコン部２２は録音レディ（ｒｅａｄｙ）状態に移行する（Ｓ１１３）。
【００３１】
一方、Ｓ１０６でペアプロジェクト情報が存在すると判定された場合、つまり第２回目以降の同時記録である場合、ペアプロジェクト情報を作成するためのＳ１０７〜Ｓ１１２の処理は不要であり、直ちに録音レディ状態に移行する（Ｓ１１３）。マイコン部２２は、ＨＤ上に記憶されたペアプロジェクト情報を参照することで、同時記録すべきプロジェクトを直ちに特定することができる。この場合、ユーザはカレントドライブのプロジェクトを選択するだけで足り、非カレントドライブのプロジェクトを選択する必要はなくなる。マイコン部２２は、ペアプロジェクト情報を用いて非カレントドライブのプロジェクトを自動的に特定するということができ、これにより個別記録モードの場合の操作と同一となる。すなわち、ユーザは個別記録モードの場合、単にカレントドライブのプロジェクトを選択するだけでよいが、本実施形態では同時記録モードの場合でもペアプロジェクト情報を用いて非カレントドライブのプロジェクトが自動的に特定されるためカレントドライブのプロジェクトを選択するだけで済み、ユーザの操作性が著しく向上する。ユーザは、同時記録モードであることを特に意識しなくて済むということもできよう。ここで、録音レディ状態は、録音を開始できる状態であり、再生ボタン操作をトリガとして録音を開始する待機状態である。
【００３２】
なお、同時記録モードでなく個別記録モードにおいても、録音ボタンが操作された場合にマイコン２２は録音レディ状態に移行し、その後の再生ボタン操作をトリガとして録音を開始する。
【００３３】
図４に、同時録音ボタン及び録音ボタンを操作した後に、さらに再生ボタンを操作した場合の処理を示す。ユーザが操作部２４の再生ボタンを操作すると（Ｓ２０１）、マイコン部２２は録音レディ状態にあるか否かを判定する（Ｓ２０２）。録音レディ状態にある場合、マイコン部２２は信号処理部１２に指令してＨＤ及びＤＶＤに同時録音する（Ｓ２０３）。この際、ＨＤに格納されたペアプロジェクト情報で特定されるプロジェクトに同一楽曲データをＢＷＦ形式のファイルで格納する。すなわち、ペアプロジェクト情報が（ＨＤ，ＤＶＤ）＝（Ｐｒｏｊｅｃｔ２、Ｐｒｏｊｅｃｔ１）である場合、ＨＤのＰｒｏｊｅｃｔ２とＤＶＤのＰｒｏｊｅｃｔ１に格納する。一方、録音レディ状態でない場合、マイコン部２２はカレントドライブの選択された楽曲データを再生する（Ｓ２０４）。
【００３４】
図５に、イジェクトボタンが操作された場合の処理を示す。ユーザが操作部２４のイジェクトボタンを操作すると（Ｓ３０１）、マイコン部２２はＨＤ上に記憶されているペアプロジェクト情報を削除する（Ｓ３０２）。そして、ＤＶＤのカレントプロジェクトを保存し（Ｓ３０３）、カレントドライブがＨＤＤ部１６である場合にはＤＶＤを排出し（Ｓ３０４、Ｓ３０５）、カレントドライブがＨＤＤ部１６でない場合にはカレントドライブをＨＤＤ部１６に切り替えた後に（Ｓ３０４、Ｓ３０６）、ＤＶＤを排出する（Ｓ３０５）。このように、ペアプロジェクト情報は、ＤＶＤが排出される際に削除される。その理由は、新たなＤＶＤが挿入される場合には、当該ペアプロジェクト情報は誤った情報となるからである。ペアプロジェクト情報はＨＤ上に記憶されるためデータレコーダの電源がＯＦＦとなっても消えることはない。もちろん、一度排出されたＤＶＤを再度挿入した場合には、ペアプロジェクト情報を再利用することができる。したがって、挿入／排出されるＤＶＤを識別できる情報をＨＤに保持し、ＤＶＤの識別情報とともにペアプロジェクト情報を記憶しておき、ＤＶＤの排出にもかかわらずペアプロジェクト情報をそのまま保持し、ＤＶＤが挿入された場合に当該ＤＶＤに対応するペアプロジェクト情報を検索して再利用してもよい。
【００３５】
本実施形態におけるペアプロジェクト情報は任意であり、対応関係を規定するマップとして記憶することができる。図６に、ペアプロジェクト情報を規定するマップの一例を示す。ＨＤのプロジェクト０１がＤＶＤのプロジェクト０１と対応付けられ、ＨＤのプロジェクト０２とＤＶＤのプロジェクト０２が対応付けられ、ＨＤのプロジェクト０４とＤＶＤのプロジェクト０３が対応付けられることを示す。同時録音モードにおいて、ＨＤのプロジェクト０４が選択されると、自動的にＤＶＤのプロジェクト０３が設定されて同一楽曲データが格納される。ＨＤのプロジェクト０３は、例えば個別記録モードで記録されたためペアプロジェクトが作成されなかったプロジェクトである。
【００３６】
図６から分かるように、カレントドライブがＨＤであるとすると、同時記録モードにおいてはＨＤのディレクトリを選択するだけで自動的にＤＶＤのディレクトリが決定されることが理解されよう。例えば、ＨＤのプロジェクト０２を選択すればＤＶＤのプロジェクト０２が自動的に決定され、ＨＤのプロジェクト０４を選択すればＤＶＤのプロジェクト０３が自動的に決定される。ファイルサーバあるいはコンピュータにおける内蔵ＨＤのミラーリングとの相違は明らかであろう。
【００３７】
本実施形態では、内蔵媒体としてＨＤ，可搬媒体としてＤＶＤを例示したが、本発明はこれに限定されるものではない。例えば、内蔵媒体としてフラッシュメモリを用いてもよく、可搬媒体としてフラッシュメモリやＢＤ（ブルーレイ）等の光ディスクを用いてもよい。
【００３８】
また、本実施形態では、関連情報としてのペアプロジェクト情報をＨＤ上に記憶させているが、マイコン部２２の揮発性あるいは不揮発性メモリ上に記憶してもよい。揮発性メモリ上に記憶させた場合、データレコーダの電源ＯＦＦ時にはペアプロジェクト情報は消失することになる。あるいは、関連情報としてのペアプロジェクト情報をＤＶＤに記憶することも可能である。例えば、ＤＶＤのＰｒｏｊｅｃｔ．ｐｒｊディレクトリに設定データの一つとして記憶する等である。同時記録モードの場合、マイコン部２２は光ディスクドライブ部１４に指令してＤＶＤの当該ディレクトリからペアプロジェクト情報を読み出し、ＨＤの選択されたプロジェクトに対応するＤＶＤのプロジェクトを特定する。関連情報としてのペアプロジェクト情報は、内蔵媒体あるいは可搬媒体のいずれに記憶してもよい。但し、可搬媒体に記憶する場合には書換回数の制限に留意する必要がある。
【００３９】
また、本実施形態では、光ディスクドライブ部１４とＨＤＤ部１６とを有するデータレコーダについて説明したが、内蔵媒体記録装置と可搬媒体記録装置とを併せて合計３個以上有する場合にも同様に適用できる。この場合、３つ以上の媒体のディレクトリ同士を関連付けてペアディレクトリ情報として記憶しておけばよい。例えば、図１の構成においてさらに光ディスクドライブ部が存在する場合、ＨＤのディレクトリと２つのＤＶＤのディレクトリとをそれぞれ対応付ける。カレントドライブのディレクトリを中心として他の非カレントドライブのディレクトリを関連付けてスター型とすることが好ましい。もちろん、３つのディレクトリをカスケード的に関連付けてもよい。
【００４０】
さらに、本実施形態ではＨＤのディレクトリとＤＶＤのディレクトリとを関連づけているが、必ずしもディレクトリに限定することなく、ＨＤ、ＤＶＤの任意の格納領域同士を対応づけてもよい。要するに、データを格納する単位はディレクトリではなく任意でよい。例えば、全てのデータを同一のディレクトリに格納するようにし、プロジェクト別管理テーブルなるものを作成して、新規録音時に、対象とするプロジェクトを選択するのと同期して、データをどの管理テーブルに登録するかを設定してもよい。
【図面の簡単な説明】
【００４１】
【図１】データレコーダの全体構成図である。
【図２】ＨＤ及びＤＶＤのディレクトリ構造図である。
【図３】実施形態の処理フローチャート（その１）である。
【図４】実施形態の処理フローチャート（その２）である。
【図５】実施形態の処理フローチャート（その３）である。
【図６】ペアプロジェクト情報（関連情報）説明図である。
【符号の説明】
【００４２】
１０  Ａ／Ｄ変換器、１２  信号処理部、１４  光ディスクドライブ部、１６  ＨＤＤ部、１８  Ｄ／Ａ変換器、２０  ＵＳＢ部、２２  マイコン部、２４  操作部。
【図１】
2008305472.tif 000003
【図２】
2008305472.tif 000004
【図３】
2008305472.tif 000005
【図４】
2008305472.tif 000006
【図５】
2008305472.tif 000007
【図６】
2008305472.tif 000008